(57)【要約】   【課題】雨水を竪樋から内部滞留することなく取水できる雨水取出部の構造を提供する。  【解決手段】雨水取出部２２は竪樋２１に装着される本体部２３と突出部２４で形成され突出部２４の底面２４ａに雨水取出管２５を備える。本体部２３の上端開口部２３ａと下端開口部２３ｂに第一筒状スリーブ３０と第二筒状スリーブ３１を設ける。第二筒状スリーブ３１の内側突出部３１ａに雨水吐出用の矩形状の第一開口部３３が形成される。第一筒状スリーブ３０と第二筒状スリーブ３１のそれぞれ内側突出部３０ｂ、３１ａを覆ってスリーブ部３４が回転自在に設けられる。スリーブ部３４の下端部には第一開口部３３と対応する略同じ大きさの矩形状の第二開口部３４ａを備える。回転操作レバー３４ｂを回転することによって、第一開口部３３と第二開口部３４ａの重なり度合を全閉から全開の範囲で雨水の流量調整ができる。【選択図】  図２
2010229676.tif 000002
【特許請求の範囲】
【請求項１】
竪樋に装着され雨水を取出す雨水取出部の構造であって、
前記雨水取出部は竪樋の中間部に装着されて竪樋に連通する上端開口部と下端開口部を備える本体部と、この本体部と一体的に竪樋から突出し雨水取出管を備える突出部とから成り、
前記上端開口部と前記下端開口部は前記本体部の内外側に突出する第一筒状スリーブと第二筒状スリーブをそれぞれ備え、この第一筒状スリーブと第二筒状スリーブの外側突出部を介してそれぞれ竪樋に連通し、第二筒状スリーブの内側突出部に雨水吐出用の第一開口部を備え、
前記第一筒状スリーブと第二筒状スリーブのそれぞれ内側突出部を覆って回転自在に設けられるスリーブ部がその下端部に前記第一開口部と略同形状で対応する第二開口部を備え、
前記スリーブ部を回転して前記第一開口部と前記第二開口部の重なり状態を調整して成る開口位置で雨水が前記雨水取出部の本体部と前記突出部を経て前記雨水取出管から取水されることを特徴とする雨水取出部の構造。
【請求項２】
前記スリーブ部に固着し前記雨水取出部を貫通する回転操作レバーの操作によって、前記第一開口部と前記第二開口部の重なり度合を全閉から全開の範囲で調整されることを特徴とする請求項１に記載の雨水取出部の構造。
【請求項３】
前記雨水取出部にフィルターを備えることを特徴とする請求項１又は請求項２に記載の雨水取出部の構造。
【発明の詳細な説明】
【技術分野】
【０００１】
本発明は竪樋の中間部から雨水を取出す雨水取出部の構造に関し、詳しくは、雨水取出部の内部に雨水が滞留することのない雨水取出部の構造に関する。
【背景技術】
【０００２】
植物の潅水等に雨水を利用するための雨水取出部の構造に関する従来技術として特許文献１に掲載の内容が知られている。図５に示すように、竪樋用取水装置１は、取水器１ａと貯水タンク１ｂを備える。取水器１ａは、取水ケース部２、カバー部４及びゴミ取部７を備える。取水ケース部２は、円形ドーナツ形の底板部２ｄ及び円筒形の側板部２ｓを有することにより、全体が上端開口２ｐの容器状となる。そして、側板部２ｓの下端付近には、取水した雨水Ｗを外部に排出する取水排出部３を設けるとともに、底板部２ｄの中心には、上下方向に貫通する筒体部５を取付けて一体化する。
【０００３】
ここで、底板部２ｄから上方に突出する筒体部５の領域は、取水ケース部２における一時的な最大取水量を決定するため、所定の高さを確保する。また、底板部２ｄから下方に突出する筒体部５の領域は、下側竪樋部Ｄｄの開口に挿入する接続筒部５ｃとなるように所定の長さを確保するとともに、竪樋部Ｄに適合する外径が選定される。なお、底板部２ｄ、側板部２ｓ、筒体部５等は、溶接で一体に構成される。一方、カバー部４は取水ケース部２の上端開口２ｐを覆うことができるとともに取水ケース部２の外周部上端に係合する。また、ゴミ取部７は、取水ケース部２の上端開口２ｐに係止する吊下部７ａの下端に支持されるとともに、取水ケース部２の内部に収容するゴミ取面部７ｂを有する。
【０００４】
貯水タンク１ｂは取水排出部３から排出された雨水Ｗを貯水するものであり、高さ調整機構１２を有するタンク支持台１３で支持される。貯水タンク１ｂは、上端開口のタンク本体部３３１と、このタンク本体部３３１の上端開口を覆う蓋部３３２で構成される。タンク本体部３３１の中間部には、開閉バルブ４２からの送水ホース４１を接続するための接続口部４３を設けるとともにタンク本体部３３１の下部に蛇口３３３を取付ける。この接続口部４３を通して、取水器１ａの取水排出部３から排水される雨水Ｗを取込むことができるとともに、貯水された雨水Ｗを蛇口３３３から外部に取出すことができる。
【先行技術文献】
【特許文献】
【０００５】
【特許文献１】特開２００５−９１５５号公報
【発明の概要】
【発明が解決しようとする課題】
【０００６】
ところが、開閉バルブ４２を閉じた状態では筒体部５と取水ケース部２で囲まれた空間に雨水が溜まりため、腐水や虫が発生する恐れがあるので衛生的でないという問題があった。
【０００７】
そこで、本発明はかかる従来技術の問題に鑑みなされたものであって、雨水が内部滞留することなく衛生的に雨水を竪樋から取水できる雨水取出部の構造を提供することを目的とする。
【課題を解決するための手段】
【０００８】
請求項１の発明は、竪樋に装着され雨水を取出す雨水取出部の構造であって、前記雨水取出部は竪樋の中間部に装着されて竪樋に連通する上端開口部と下端開口部を備える本体部と、この本体部と一体的に竪樋から突出し雨水取出管を備える突出部とから成る。そして、前記上端開口部と前記下端開口部は前記本体部の内外側に突出する第一筒状スリーブと第二筒状スリーブをそれぞれ備え、この第一筒状スリーブと第二筒状スリーブの外側突出部を介してそれぞれ竪樋に連通する。さらに、第二筒状スリーブの内側突出部に雨水吐出用の第一開口部を備え、前記第一筒状スリーブと第二筒状スリーブのそれぞれ内側突出部を覆って回転自在に設けられるスリーブ部がその下端部に前記第一開口部と略同形状で対応する第二開口部を備える。さらに、前記スリーブ部を回転して前記第一開口部と前記第二開口部の重なり状態を調整して成る開口位置で雨水が前記雨水取出部の本体部と前記突出部を経て前記雨水取出管から取水されることを特徴としている。
【０００９】
請求項２の発明は、請求項１に記載の雨水取出部の構造であって、前記スリーブ部に固着し前記雨水取出部を貫通する回転操作レバーの操作によって、前記第一開口部と前記第二開口部の重なり度合を全閉から全開の範囲で調整されることを特徴している。
【００１０】
請求項３の発明は、請求項１又は請求項２に記載の雨水取出部の構造であって前記雨水取出部にフィルターを備えることを特徴としている。
【発明の効果】
【００１１】
請求項１の発明によれば、前記雨水取出部は竪樋の中間部に装着されて竪樋に連通する上端開口部と下端開口部を備える本体部と、この本体部と一体的に竪樋から突出し雨水取出管を備える突出部とから成り、前記上端開口部と前記下端開口部は前記本体部の内外側に突出する第一筒状スリーブと第二筒状スリーブをそれぞれ備え、この第一筒状スリーブと第二筒状スリーブの外側突出部を介してそれぞれ竪樋に連通し、第二筒状スリーブの内側突出部に雨水吐出用の第一開口部を備え、前記第一筒状スリーブと第二筒状スリーブのそれぞれ内側突出部を覆って回転自在に設けられるスリーブ部がその下端部に前記第一開口部と略同形状で対応する第二開口部を備える。
このため、前記スリーブを回転して前記第一開口部と前記第二開口部の重なり状態を調整して任意の開口位置を形成できるので、必要な量の雨水が前記雨水取出部の本体部と前記突出部を経て前記雨水取出管から容易に取水することができる。さらに、前記スリーブ部を回転して前記第一開口部と前記第二開口部の重なり状態を調整するだけで必要な量の雨水を自然流出することができるので、雨水を取出す必要の無い場合に前記雨水取出部の内部に雨水が滞留することがないので腐水で臭うことなく虫の発生も回避することのできて衛生的である。
【００１２】
請求項２の発明によれば、前記スリーブ部に固着し前記雨水取出部を貫通する回転操作レバーの操作によって、前記第一開口部と前記第二開口部の重なり度合を全閉から全開の範囲で容易に調整されるので操作性に優れる。
【００１３】
請求項３の発明によれば、前記雨水取出部にフィルターを備えるので取出す雨水の品質を容易に向上できる。
【図面の簡単な説明】
【００１４】
【図１】本発明の実施形態における、竪樋２１の中間部に設けられる本体部２３と突出部２４から成る雨水取出部２２と取水タンク２７の状態を示す斜視図である。
【図２】本発明の実施形態における、図１のＡ−Ａ断面図である。
【図３】本発明の実施形態における、スリーブ部３４を回転操作することによって、第一開口部３３と第二開口部３４ａの重なりを調整して全開になった状態を示す透視斜視図である。
【図４】本発明の実施形態における図２のＢ−Ｂ断面図で、（ａ）はスリーブ部３４を回転操作レバー３４ｂで回転して第一開口部３３と第二開口部３４ａの重なり全開の状態、（ｂ）は第一開口部３３と第二開口部３４ａが重ならずに全閉の状態を示す図である。
【図５】従来例における、竪樋に備える取水器１ａと貯水タンク１ｂを備える竪樋用取水装置１の状態を示す側面図である。
【発明を実施するための形態】
【００１５】
＜本発明の実施形態＞
以下に、本発明の実施形態を図１〜図４に基づいて説明する。
＜雨水取出部の構造の構成＞
【００１６】
図１、図２、図３に示すように、本発明の軒樋２０からの雨水を取出すための雨水取出部２２は、竪樋２１の中間部に装着されて軒樋２０と連通する本体部２３と竪樋２１よりも水平方向に突出する突出部２４が一体的に形成される。雨水取出部２２は平面視で長円形の中空柱状で、突出部２４の底面２４ａに雨水取出管２５を備える。
【００１７】
雨水取出管２５は地面に配置された取水タンク２７に導かれ、貯蔵された雨水は必要に応じて蛇口２７ａから取出し散水等に使用される。
【００１８】
本体部２３は上下の水平面に断面円形状の上端開口部２３ａと下端開口部２３ｂが形成され、上端開口部２３ａと下端開口部２３ｂに本体部２３の内外側に突出する第一筒状スリーブ３０（外側突出部３０ａ、内側突出部３０ｂ）と第二筒状スリーブ３１（外側突出部３１ｂ、内側突出部３１ａ）をそれぞれ備える。この第一筒状スリーブ３０と第二筒状スリーブ３１の外側突出部３０ａ、３１ｂを上下の竪樋２１に内嵌して竪樋２１に連通する。なお外側突出部３０ａの上端部３０ｃは雨水Ｗ１の流れを良くするためにテーパーが形成される。そして、第二筒状スリーブ３１の内側突出部３１ａに雨水取出用の矩形状の第一開口部３３が突出部２４に向けて形成される。
【００１９】
第一筒状スリーブ３０と第二筒状スリーブ３１のそれぞれ内側突出部３０ｂ、３１ａを覆ってスリーブ部３４が摺動し回転自在に設けられる。スリーブ部３４の下端部には第一開口部３３と対応する略同じ大きさの矩形状の第二開口部３４ａを備える。
【００２０】
スリーブ部３４に固着される回転操作レバー３４ｂは本体部２３を貫通して外部に突出し、外部から回転操作レバー３４ｂを矢印Ｓに示すように回転操作して第一開口部３３と第二開口部３４ａの重なり度合を全閉から全開の範囲で調整することで所望の雨水流量調整ができる。
【００２１】
雨水取出部２２の突出部２４の底面２４ａにフィルター３５を備え、底面２４ａの下方に雨水取出管２５と内嵌合する第三筒状スリーブ３６が突設される。なお、突出部２４にはフィルター３５の図示しない交換用扉が設けられる。
【００２２】
＜雨水取出部の構造の作用＞
図４(ａ)に示すように、スリーブ部３４に固着される回転操作レバー３４ｂは本体部２３を貫通して外部に突出するので、矢印Ｓに示すように外部から容易に回転操作レバー３４ｂを回転操作して、第二開口部３４ａを第一開口部３３と重なる位置に設定できる。この状態で、雨水Ｗ１を最大限に取込んで雨水取出管２５に流すことができる。なお、竪樋２１内を流れる雨水Ｗ１の殆どは自由落下ではなく竪樋２１の内面に沿って流れるので、第一開口部３３の上方からの雨水を容易に取込んで雨水取出管２５に流すことができる。
【００２３】
図４(ｂ)に示すように、回転操作レバー３４ｂを矢印Ｓに示すように外部から回転操作することによって、第二開口部３４ａを第一開口部３３に重ならない位置に設定できる。この状態では、雨水は雨水取出管２５に流れないので竪樋２１下方に流出する。
【００２４】
このように、スリーブ部３４を回転操作レバー３４ｂで回転するだけで第一開口部３３と第二開口部３４ａの重なり状態を容易に調整できるので必要な量の雨水Ｗ１が雨水取出部２２の本体部２３と突出部２４を経て雨水取出管２５によって取水タンク２７まで取水することができるので操作性に優れる。さらに、雨水取出部２２が簡単な構造なので外観性に優れるとともに製作コストが安価である。常に雨水取出部２２の内部に雨水が滞留することがないので腐水で臭うことなく虫の発生も回避できて衛生的である。
【００２５】
以上、本発明の実施例を図面に基づいて説明したが、具体的な構成はこの実施例に限られるものではなく本発明の要旨を逸脱しない範囲の設計変更等があっても本発明に含まれる。例えば、第一筒状スリーブ３０を異径円形スリーブにして外側突出部３０ａを内側突出部３０ｂよりも広径に形成すると外側突出部３０ａに竪樋２１が内嵌できるので、竪樋２１と外側突出部３０ａの隙間からの雨水の漏れがさらに確実に防止できる。第一開口部３３と第二開口部３４ａの形状は矩形形状に係らず略半円形状でも構わない。
【符号の説明】
【００２６】
２１  竪樋
２２  雨水取出部
２３  本体部
２３ａ  上端開口部
２３ｂ  下端開口部
２４  突出部
２４ａ  底面
２５  雨水取出管
３０  第一筒状スリーブ
３０ｂ  内側突出部
３１  第二筒状スリーブ
３１ａ  内側突出部
３３  第一開口部
３４  スリーブ部
３４ａ  第二開口部
３４ｂ  回転操作レバー
【図１】
2010229676.tif 000003
【図２】
2010229676.tif 000004
【図３】
2010229676.tif 000005
【図４】
2010229676.tif 000006
【図５】
2010229676.tif 000007